(57)【特許請求の範囲】
【請求項１】
動作条件に従って画像処理を実行する画像処理装置であって、
印刷モードの使用状況を算出する算出手段と、
前記算出手段で算出した使用状況に基づいて、設定すべき動作条件を決定する決定手段と、
前記動作条件が設定された場合に電力量がどのくらい変化するかを算出する電力量算出手段と、
前記動作条件と電力量がどのくらい変化するかとを表示する表示手段と、
前記動作条件の設定の指示をユーザから受ける指示受付手段と、
を備え、
前記算出手段は、
印刷ジョブを解析して印刷モードの使用回数を測定する測定手段と、
前記測定手段により測定された印刷モードの使用回数と前記画像処理装置で実行された印刷回数に従い印刷モードの使用率を算出する算出手段を有することを特徴とする画像処理装置。
【請求項２】
前記表示手段は、前記電力量算出手段で算出した電力量と、前記決定手段で決定した動作条件と、当該動作条件を設定するか否かを指示するための指示情報とを含む確認画面を表示することを特徴とする請求項１に記載の画像処理装置。
【請求項３】
前記表示手段が表示した動作条件を設定するか否かを指示するための指示情報に対するユーザからの指示に従い、動作条件の設定を制御する制御手段を備えることを特徴とする請求項２記載の画像処理装置。
【請求項４】
印刷処理に用いられるデータの画像処理を実行する複数の画像処理部を備えることを特徴とする請求項１乃至３のいずれか１項に記載の画像処理装置。
【請求項５】
前記動作条件に従い、前記複数の画像処理部のうち、少なくも１つの画像処理部への電力供給を制御する電力制御手段を備えることを特徴とする請求項４記載の画像処理装置。
【請求項６】
前記電力量算出手段は、消費電力の削減率を算出し、
前記表示手段は、前記動作条件と前記削減率とを表示することを特徴とする請求項１乃至５のいずれか１項に記載の画像処理装置。
【請求項７】
前記決定手段は、現在設定されている動作条件と前記使用率とを比較して、設定すべき動作条件を決定することを特徴とする請求項１に記載の画像処理装置。
【請求項８】
動作条件に従って画像処理を実行する画像処理装置の制御方法であって、
印刷モードの使用状況を算出する算出工程と、
前記算出工程で算出した使用状況に基づいて、設定すべき動作条件を決定する決定工程と、
前記動作条件が設定された場合に電力量がどのくらい変化するかを算出する電力量算出工程と、
前記動作条件と電力量がどのくらい変化するかとを表示する表示工程と、
前記動作条件の設定の指示をユーザから受ける指示受付工程と、
を有し、
前記算出工程は、
印刷ジョブを解析して印刷モードの使用回数を測定する測定工程と、
前記測定工程により測定された印刷モードの使用回数と前記画像処理装置で実行された印刷回数に従い印刷モードの使用率を算出する算出工程を有することを特徴とする画像処理装置の制御方法。
【請求項９】
請求項８に記載の画像処理装置の制御方法をコンピュータに実行させることを特徴とするプログラム。
【発明の詳細な説明】
【技術分野】
【０００１】
本発明は、動作条件に従って印刷処理を実行する画像処理装置、画像処理装置の制御方法及びプログラムに関する。
【背景技術】
【０００２】
環境問題への配慮から画像処理装置を含む幅広い電子機器において、消費電力の節約が求められている。このような消費電力の節約のために、電子機器において不要な構成要素への電力供給を遮断し省電力モードを設定する要請が高まっている。さらに、構成要素毎の省電力モ−ドの設定を、ユ−ザが自由に選択できる技術もある（例えば、特許文献１）。
【先行技術文献】
【特許文献】
【０００３】
【特許文献１】特開２００１−１４８７５１号公報
【発明の概要】
【発明が解決しようとする課題】
【０００４】
しかしながら、特許文献１に示す画像処理装置の省電力モード設定では、実際に使用している印刷モードの使用状況の変動に適応して、ユーザがその省電力効果を確認しながら、画像処理装置の動作条件を自在に切り替えることができないという課題があった。
本発明は、上記の課題を解決するためになされたもので、本発明の目的は、印刷モードの使用状況の変動に適応して、ユーザがその省電力効果を確認しながら、画像処理装置の動作条件を切り替えることができる仕組みを提供することである。
【課題を解決するための手段】
【０００５】
上記目的を達成する本発明の画像処理装置は以下に示す構成を備える。
動作条件に従って画像処理を実行する画像処理装置であって、印刷モードの使用状況を算出する算出手段と、前記算出手段で算出した使用状況に基づいて、設定すべき動作条件を決定する決定手段と、前記動作条件が設定された場合に電力量がどのくらい変化するかを算出する電力量算出手段と、前記動作条件と電力量がどのくらい変化するかとを表示する表示手段と、前記動作条件の設定の指示をユーザから受ける指示受付手段と、を備え、前記算出手段は、印刷ジョブを解析して印刷モードの使用回数を測定する測定手段と、前記測定手段により測定された印刷モードの使用回数と前記画像処理装置で実行された印刷回数に従い印刷モードの使用率を算出する算出手段を有することを特徴とする。
【発明の効果】
【０００６】
本発明によれば、ユーザがその省電力効果を確認しながら、画像処理装置の動作条件を切り替えることができる。
【図面の簡単な説明】
【０００７】
【図１】画像処理システムの構成を示すブロック図である。
【図２】図１に示したコントローラの構成を示すブロック図である。
【図３】図２に示した画像生成部の構成を示すブロック図である。
【図４】画像処理装置のデータ処理手順を示すフローチャートである。
【図５】印刷モードカウントテーブルの一例を示す図である。
【図６】画像処理装置におけるデータ処理手順を示すフローチャートである。
【図７】印刷モード別の使用率を管理するための管理テーブルを示す図である。
【図８】現在の印刷モード別の設定状態を管理する管理テーブルを示す図である。
【図９】印刷モードの機能制限を指示する確認画面を示す図である。
【図１０】印刷モード別の使用率を管理するための管理テーブルを示す図である。
【図１１】現在の印刷モード別の設定状態を示す管理テーブルを示す図である。
【図１２】画像生成部に対する通電状態を説明するブロック図である。
【図１３】印刷モードの機能制限を指示する確認画面を示す図である。
【発明を実施するための形態】
【０００８】
次に本発明を実施するための最良の形態について図面を参照して説明する。本実施形態では、画像処理装置として、スキャン、プリント、コピーなどの複数機能を有するデジタル複合機（ＭＦＰ）を例に説明する。
＜システム構成の説明＞
〔第１実施形態〕
【０００９】
図１は、本発明の実施形態に係る画像処理システムの構成を示すブロック図である。このシステムではホストコンピュータ１２０及び２台の画像処理装置（１００，１１０）がＬＡＮ１３０に接続されているが、本発明における画像処理システムにおいては、これらの接続数に限られることはない。
【００１０】
また、本実施例では接続方法としてＬＡＮを適用しているが、これに限られることはない。例えば、ＷＡＮ（公衆回線）などの任意のネットワーク、ＵＳＢなどのシリアル伝送方式、セントロニクスやＳＣＳＩなどのパラレル伝送方式なども適用可能である。
【００１１】
ホストコンピュータ（以下、ＰＣと称する）１２０はパーソナルコンピュータの機能を有している。このＰＣ１２０はＬＡＮ１３０やＷＡＮを介してＦＴＰやＳＭＢプロトコルを用いファイルを送受信したり電子メールを送受信したりすることができる。さらには、ＰＣ１２０は画像処理装置１００、１１０に対して、プリンタドライバを介した印刷命令を行うことも可能となっている。
画像処理装置１００と画像処理装置１１０は同じ構成で、スキャナ部を有する画像処理装置である。
【００１２】
画像処理装置１００は、画像入力デバイスであるスキャナ部１０３、画像出力デバイスであるプリンタ部１０４、画像処理装置１１０全体の動作制御を司るコントローラ１０１、ユーザインターフェース（ＵＩ）である操作部１０２から構成される。操作部１０２は、様々な表示をユーザに提示する提示手段としてだけでなく、様々な指示をユーザから受ける指示受付手段としても機能する。
【００１３】
同様に、画像処理装置１１０は、画像入力デバイスであるスキャナ部１１３、画像出力デバイスであるプリンタ部１１４、画像処理装置１１０全体の動作制御を司るコントローラ１１１、ユーザインターフェース（ＵＩ）である操作部１１２から構成される。
【００１４】
図２は、図１に示したコントローラ１０１、１１１の構成を示すブロック図である。図２において、ＣＰＵ２０１は、画像処理装置１００全体を制御するための制御部である。ＣＰＵ２０１はＲＯＭ２０２に格納されているブートプログラムによりＯＳ（Ｏｐｅｒａｔｉｎｇ Ｓｙｓｔｅｍ）を起動する。このＯＳ上で大容量ストレージ２０６に記憶されているコントローラプログラムや各種アプリケーションプログラムを実行させる。ＣＰＵ２０１はデータバス２０４などの内部バスによって各部と接続されている。
ＲＡＭ２０３は、ＣＰＵ２０１の主メモリやワークエリア等の一時記憶領域として動作する。さらに、画像処理の一時記憶領域としても使用される。なお、ＲＡＭ２０３は、画像処理装置の動作条件を切り替えるための印刷モード設定状態を保持する保持領域が確保されている。
【００１５】
インターフェース制御部２０７は、ＮＩＣ（Ｎｅｔｗｏｒｋ Ｉｎｔｅｒｆａｃｅ Ｃａｒｄ）２０８などのネットワークＩ／Ｆを制御して、ＬＡＮなどのネットワークに対して、画像データをはじめとするさまざまなデータの送受信を行う。また、インターフェース制御部２０７はモデム２０９を制御して、電話回線に対してデータの送受信を行う。
【００１６】
操作Ｉ／Ｆ２１０は、タッチパネルやハードキーといった操作部１０２からユーザの操作支持を入力する。また、操作Ｉ／Ｆ２１０は、ＬＣＤ、ＣＲＴ等の表示部を備える操作部１０２を制御して、操作画面をユーザに対して表示する。
【００１７】
画像生成部２１１は、インターフェース制御部２０７を介して受信したデータに基づきプリンタ部１０４が処理可能なビットマップデータの生成と属性データの生成を行う。圧縮部２１２は、ビットマップデータと属性データの圧縮を行う。伸張部２１３は、圧縮部２１２で圧縮されたデータの伸張を行い、ビットマップデータと属性データの生成を行う。
【００１８】
スキャナ画像処理部２１４は、スキャナ部１０３からスキャナＩ／Ｆ２１５を介して受取ったビットマップデータに対して、補正、加工、及び編集を行う。なお、スキャナ画像処理部２１４は、受取ったビットマップデータがカラー原稿か白黒原稿か、文字原稿か写真原稿かなどを判定する。そして、その判定を属性データとして画像データに付随させる。
プリンタ画像形成部２１６は、プリンタ用画像処理を行い、プリンタＩ／Ｆ２１７を介してプリンタ部１０４に前述のビットマップデータを送信する。
電源装置２１８は、電力供給ライン２１９を介してコントローラ１０１へ電力供給する。
【００１９】
図３は、図２に示した画像生成部２１１の構成を示すブロック図である。図３において、コマンド解析部３０１は、受信したデータの解析を行い、ビットマップ生成部３０２−３０５に対して、ビットマップ生成要求を発行する。ビットマップ生成部３０２−３０５は、コマンド解析部の要求に合わせたビットマップデータを生成し、ビットマップ出力部３０６へビットマップデータを送信する。
【００２０】
ビットマップ出力部３０６は、ビットマップ生成部３０２−３０５から受信したビットマップデータをＲＡＭ２０３へ出力する。さらに、ビットマップ出力部３０６では、ビットマップデータに対応する属性データの生成を行い、ＲＡＭ２０３へ出力する。電源制御部３０７は、電力供給ライン２１９を介して電力を受け取り、画像生成部２１１の電力制御を行う。
本実施形態における画像生成部２１１では、１２００ｄｐｉ（ｄｏｔｓ ｐｅｒ ｉｎｃｈ）の印刷で４０ｐｐｍ（ｐａｇｅ ｐｅｒ ｍｉｎｕｔｅ）の印刷速度を実現するための構成である。なお、本実施形態では、画像生成部２１１は、画像処理部として、複数のビットマップ生成部を備える。使用するビットアップ生成部の個数を変更することで、省電力効果を変更可能にしている。なお、ＣＰＵ２０１は、設定される動作条件に従い、少なくも１つ以上の画像処理部への電力供給を制御する。
【００２１】
図４は、本実施形態を示す画像処理装置のデータ処理手順を示すフローチャートである。本例は、各ジョブで実行される印刷モードが実行される毎にカウントアップして、各印刷モードの使用状況を蓄積する処理例である。なお、各ステップは、ＣＰＵ２０１がＲＯＭ２０２等に記憶された制御プログラムをＲＡＭ２０３にロードして実行することで実現される。
【００２２】
まず、ＣＰＵ２０１は、ＪＯＢを受信すると、受信したＪＯＢを解析し（Ｓ４０１）、ＪＯＢの中で使用した印刷モードをカウント（測定）する（Ｓ４０２）。次いで、ＣＰＵ２０１はＳ４０２でカウントしたカウント値をＲＡＭ２０３に既に格納されているカウント値へ加算する（Ｓ４０３）。
【００２３】
図５は、印刷モードカウントテーブル５０１の一例を示す図である。本テーブル５０１は、各印刷モードの使用状況を管理するためのテーブルであり、印刷モード毎のカウント値を格納している。例えば図５では、１００ページを印刷し終えた状態で、うち８０ページがカラー印刷を実行したことを示している。同様に、１２００ｄｐｉでの印刷（以下、１２００ｄｐｉ印刷モード、と呼ぶ）を１０ページ、画像の拡大縮小を９０ページ、画像の回転を８５ページで実行したことを示している。本テーブル５０１は、図２に示したＲＡＭ２０３に格納される。
【００２４】
図６は、本実施形態を示す画像処理装置におけるデータ処理手順の一例を示すフローチャートである。本例では、印刷モードの使用状況を判定して、印刷モードを切り替えると省電力効果があることをユーザに通知して、ユーザからの印刷モードの切り替え指示を受け付けて印刷モードを切り替える制御手順例である。なお、各ステップは、ＣＰＵ２０１がＲＯＭ２０２等に記憶された制御プログラムをＲＡＭ２０３にロードして実行することで実現される。
【００２５】
まず、ＣＰＵ２０１は、ＲＡＭ２０３に格納している各印刷モードのカウント値を読み出し、印刷モード毎の使用率を算出する（Ｓ６０１）。図７は、印刷モード毎の使用率の一例である。図７は、印刷モード毎の使用率を管理するための管理テーブル７０１を示す図である。印刷モードの使用率は、その印刷モードの使用回数を画像処理装置で実行された印刷回数で割って算出する。より具体的には、その印刷モードが使用されたページ数を印刷された総ページ数で割って算出する。本例では、１２００ｄｐｉ印刷モードの使用率が１０％で、使用率が低い状況であることを示している。本管理テーブル７０１は、図２に示したＲＡＭ２０３に格納される。
【００２６】
次に、ＣＰＵ２０１は、現在の印刷モードの設定状態をＲＡＭ２０３から読み出し（Ｓ６０２）、現在の印刷モードの設定状態と算出した印刷モード毎の使用率の比較を行う（Ｓ６０３）。図８は、現在の印刷モード毎の設定状態の一例である。図８は、現在の印刷モード毎の設定状態を管理するための管理テーブル８０１を示す図である。ＯＮは、印刷モードを使用可であることを示す。ＯＦＦは、印刷モードの使用を制限していることを示す。本管理テーブル８０１は、図２に示したＲＡＭ２０３に格納される。管理テーブル８０１に格納されている印刷モード毎の設定状態が画像処装置の動作条件となる。
【００２７】
そして、ＣＰＵ２０１は、Ｓ６０３の比較結果から印刷モードの設定状態の切り替えが必要か否かを判断する（Ｓ６０４）。ここで、ＣＰＵ２０１が印刷モードの切り替えが必要ないと判断した場合には、印刷モード設定フローを終了する。
【００２８】
本実施例では、印刷モードの設定状態をＯＮにするためには、その印刷モードの使用率が５０％以上であることが望ましいと判断する。また、印刷モードの使用率が５０％未満の場合には、その印刷モードの設定状態をＯＦＦにした方がいいと判断する。図７及び図８に示す例では、現在の印刷モードの設定状態はすべてＯＮであるのに対して、算出された、１２００ｄｐｉ印刷モードの使用率は１０％である。１２００ｄｐｉ印刷モードの使用率が５０％未満であるため、ＣＰＵ２０１は印刷モードの設定状態を切り替える必要があると判断する。
【００２９】
Ｓ６０４で、現在の印刷モードの設定状態と算出した使用率の比較結果から印刷モードの設定状態の切り替えが必要であるとＣＰＵ２０１が判断した場合には、電力量算出手段として機能するＣＰＵ２０１は、切り替えた場合に変化する消費電力削減率を算出する（Ｓ６０５）。さらに、ＣＰＵ２０１は、どのような制限を設けるかを決定する（Ｓ６０６）。
【００３０】
例えば、１２００ｄｐｉ印刷モードの設定状態をＯＦＦにした場合における消費電力削減率を算出する。なお、本実施形態において、１２００ｄｐｉ印刷モードの設定状態をＯＦＦとする場合、１２００ｄｐｉでの印刷を実行できなくするのではなく、１２００ｄｐｉで印刷する場合の印刷速度を２５％に変更する。すなわち、１２００ｄｐｉで印刷する場合の印刷速度を４０ｐｐｍから１０ｐｐｍへ制限する。実際には、ＣＰＵ２０１が図３で前述したビットマップ生成部３０２−３０５の内のビットマップ生成部３０３−３０５への電力供給をＯＦＦにする。これにより、画像生成部２１１の消費電力量は節減される。本実施形態では、この節電による画像処理装置全体の消費電力削減量は５％と仮定する。次いで、ＣＰＵ２０１は、制限の内容として、１２００ｄｐｉで印刷する場合の印刷速度を２５％にすることを決定する。
【００３１】
ここで、ＣＰＵ２０１は、操作部１０２に表示すべき印刷モード設定画面として、算出した使用率と消費電力削減率、さらには、制限の内容を表示する表示制御を実行する（Ｓ６０７）。そして、ＣＰＵ２０１は、ユーザが印刷モードの設定状態の切り替えを指示したかを判断する（Ｓ６０８）。ユーザが印刷モードの設定状態の切り替えを指示した場合には、ＣＰＵ２０１は、省電力効果が期待できるように印刷モードの設定状態を切り替え（Ｓ６０９）、本処理を終了する。この際、図８に示す管理テーブル８０１の内容も同時に更新される。
【００３２】
図９は、図２に示した操作部１０２に表示される印刷モード設定画面９０１を示す図である。なお、本確認画面例は、一例であって、画面上に表示すべき各ボタンの配置や、表示すべきメッセージが本画面表示の内容に限定されるものではない。図９の例では、印刷モードの使用率９０２と、制限の内容９０３と、消費電力削減率９０４とを表示する。
【００３３】
ユーザが本画面において指示情報として表示される「ＯＫ」ボタン９０５の押下をした場合には、ＣＰＵ２０１は、図８に示す管理テーブル中の「１２００ｄｐｉ印刷モード」を「ＯＦＦ」状態にする（Ｓ６０９）。
【００３４】
なお、ユーザが指示情報として表示される「ＮＯ」ボタン９０６の押下をした場合には、ＣＰＵ２０１は、「１２００ｄｐｉ印刷モード」を「ＯＮ」状態のままにする。
【００３５】
このように印刷モードの使用状況に合わせて印刷モードの設定状態を切り替えることで、ユーザの利便性を考慮し、かつ、ユーザが自由に選択可能な省電力モード設定を行える動作環境を整備できる。
〔第２実施形態〕
【００３６】
図１０は、印刷モード別の使用率を管理するための管理テーブル１００１を示す図である。本例では、１２００ｄｐｉの使用率が７０％で、全体として使用率が高い状況であることを示している。本管理テーブル１００１は、図２に示したＲＡＭ２０３に格納される。
【００３７】
図１１は、現在の印刷モード毎の設定状態を管理するための管理テーブル１１０１を示す図である。本例では、１２００ｄｐｉ印刷モードがＯＦＦになっている。本管理テーブル１１０１は、ＣＰＵ２０１がＲＡＭ２０３で管理している。
【００３８】
以下、図１０、図１１に示す管理テーブルの状態を踏まえて、図６に示すフローチャートに沿って本実施形態の制御手順を説明する。
【００３９】
本処理を開始すると、ＣＰＵ２０１は、ＲＡＭ２０３に格納した各印刷モードのカウント値を読み出し、図１０に示す管理テーブルのような印刷モード毎の使用率を算出する（Ｓ６０１）。さらに、ＣＰＵ２０１は、現在の印刷モードの設定状態を図１１に示す管理テーブル１１０１から読み出す（Ｓ６０２）。
【００４０】
ＣＰＵ２０１は、現在の印刷モードの設定状態と、ＣＰＵ２０１が算出した使用率とを比較する（Ｓ６０３）。
本実施形態では、図１１に示すように、現在の印刷モードの設定状態において「１２００ｄｐｉ印刷モード」が「ＯＦＦ」であるのに対して、算出された「１２００ｄｐｉ印刷モード」の使用率は７０％である。１２００ｄｐｉ印刷モードの使用率が「５０％」以上であるため、ＣＰＵ２０１は、印刷モードの設定状態を切り替える必要があると判断する（Ｓ６０４）。
【００４１】
次いで、ＣＰＵ２０１は、「１２００ｄｐｉ印刷モード」の設定状態を「ＯＮ」と設定した場合における消費電力増加率を算出する（Ｓ６０５）。図１２は、「１２００ｄｐｉ印刷モード」の設定状態が「ＯＦＦ」である場合の、画像生成部２１１の通電状態を示す。
【００４２】
図１２において、実線で示すコマンド解析部３０１、ビットマップ生成部３０２、ビットマップ出力部３０６および、電源制御部３０７は通電状態である。破線で示す印刷処理に用いられる画像処理を実行する複数のビットマップ生成部３０３−３０５は電力が切られた状態である。一方、「１２００ｄｐｉ印刷モード」の設定状態が「ＯＮ」である場合、ビットマップ生成部３０３−３０５も通電状態になる。つまり、画像生成部２１１の消費電力量は増加する。本実施形態では全体の消費電力増加率は５％と仮定する。
【００４３】
次いで、ＣＰＵ２０１は、１２００ｄｐｉでの印刷の印刷速度が「４倍」となるように使用制限を変更する（Ｓ６０６）。ここで、ＣＰＵ２０１は、図１３に示すように、操作部１０２へ印刷モード設定画面１３０１を表示する制御を実行する。
ここで、前述した使用率１３０２と消費電力増加率１３０４、さらには、使用制限の変更を示す情報１３０３を表示する（Ｓ６０７）。
【００４４】
図１３は、図３に示した操作部１０２に表示される印刷モード設定画面１３０１を示す図である。図１３の例では、印刷モードの使用率１３０２と、使用制限の変更１３０３と、消費電力増加率１３０４とを表示する。
【００４５】
この確認画面表示状態において、ユーザが「ＯＫ」ボタン１３０５を指示しているとＣＰＵ２０１が判断した場合（Ｓ６０８）には、ＣＰＵ２０１は、「１２００ｄｐｉ印刷モード」の設定状態を「ＯＦＦ」状態から「ＯＮ」状態に設定する（Ｓ６０９）。
【００４６】
一方、図１３に示す画面において、ユーザが「ＮＯ」ボタン１３０６を指示しているとＣＰＵ２０１が判断した場合（Ｓ６０８）、ＣＰＵ２０１は、「１２００ｄｐｉ印刷モード」の設定状態を「ＯＦＦ」状態のままにして、本処理を終了する。
【００４７】
本実施形態によれば、ユーザが使用する画像処理装置における印刷モードの使用状況に合わせて使用制限を実行してもよい印刷モードと、その省電力効果をユーザに提案することができる。これにより、ユーザは印刷モードの使用状態に適応して印刷モードの使用状況を動的に切り替える際に、その省電力効果を確認することができる。
【００４８】
第１及び第２の実施形態では、ＣＰＵ２０１が１２００ｄｐｉ印刷モードで使用されるビットマップ生成部３０２〜３０５のいずれかへの電力供給を制限することにより、消費電力の削減を行った。しかしながら、電力供給を変更可能なハードウエアであれば、本印刷モードに限定されるものではない。
【００４９】
第１及び第２の実施形態では、印刷モードの使用回数を示すカウント値を印刷モードの使用状況として記憶し、そのカウント値から印刷モードの使用率を算出した。しかしながら、印刷ジョブの解析結果に基づき印刷モードの使用率をそのつど算出し、印刷モードの使用率を印刷モードの使用状況として記憶してもよい。
【００５０】
第１及び第２の実施形態では、印刷モードの使用率、制限の内容、消費電力削減量をユーザに提示するために、これらを操作パネル１０２にて表示した。しかしながら、印刷モードの使用率、制限の内容、消費電力削減量をユーザに提示するために、これらを掲載したウェブページや電子メールをＰＣ１２０に送信してもよい。この場合には、画像処理装置は、印刷モードの設定状態を変更するか否かを示す指示をＰＣ１２０から受信する。
【００５１】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
本発明は上記実施形態に限定されるものではなく、本発明の趣旨に基づき種々の変形（各実施形態の有機的な組合せを含む）が可能であり、それらを本発明の範囲から除外するものではない。
なお、印刷モードの使用制限を強化したり、緩めたりする権限を有するユーザを認証して、図６に示す処理を実行するように制御してもよい。また、使用率があらかじめ設定された設定状態から外れた場合に、上記ユーザにその旨を通知して、省電力モードの設定を催促するように制御してもよい。ここで、上記ユーザにその旨を通知するのは、メールや、管理画面への通知等が含まれる。
【符号の説明】
【００５２】
１００  ＭＦＰ
１０１  コントローラ
２０１  ＣＰＵ
２０３  ＲＡＭ
２１１  画像生成部
３０７  電力制御部
【図１】
0005818447.tif 000002
【図２】
0005818447.tif 000003
【図３】
0005818447.tif 000004
【図４】
0005818447.tif 000005
【図５】
0005818447.tif 000006
【図６】
0005818447.tif 000007
【図７】
0005818447.tif 000008
【図８】
0005818447.tif 000009
【図９】
0005818447.tif 000010
【図１０】
0005818447.tif 000011
【図１１】
0005818447.tif 000012
【図１２】
0005818447.tif 000013
【図１３】
0005818447.tif 000014